【手続補正書】
【提出日】平成18年5月16日(2006.5.16)
【手続補正１】
【補正対象書類名】特許請求の範囲
【補正対象項目名】全文
【補正方法】変更
【補正の内容】
【特許請求の範囲】
【請求項１】
ボイス・オーバ・インターネットシステムであって、
少なくとも１つの無線通信デバイスを備え、少なくとも１つのプライベートＩＰアドレスが、前記無線通信デバイスに割り当てられ、前記無線通信デバイスに知られており、
ローカルネットワーク及びインターネットと通信する少なくとも１つのネットワークアクセス変換構成要素を備え、前記ネットワークアクセス変換構成要素は、前記プライベートＩＰアドレスをパブリックＩＰアドレスに関連付け、
宛先アドレスとして前記無線通信デバイスに関連したパブリックＩＰアドレスを持つヘッダを含む少なくとも１つのＩＰプロトコルベースのメッセージを生成する少なくとも１つのロジック構成要素を備え、前記メッセージは、前記パブリックＩＰアドレス、又は前記メッセージが前記無線通信デバイスに前記パブリックＩＰアドレスを通信していることを示すデータを含むボディを含み、前記メッセージは、前記無線通信デバイスに前記パブリックＩＰアドレスを通知するために前記無線通信デバイスによって受信されることが可能であるボイス・オーバ・インターネットシステム。
【請求項２】
請求項１に記載のシステムにおいて更に、前記無線通信デバイスからの登録メッセージを受信し、それに応答して前記パブリックＩＰアドレスを登録するＳＩＰサーバを備えたシステム。
【請求項３】
請求項１に記載のシステムにおいて、前記ローカルネットワークは、少なくとも１つのローカルなＩＰベースのインフラストラクチャを含んでいるシステム。
【請求項４】
請求項３に記載のシステムにおいて、前記ローカルネットワークは、前記プライベートＩＰアドレスを前記無線通信デバイスに割り当てる少なくとも１つのキャリアを含んでいるシステム。
【請求項５】
無線通信デバイスのパブリックＩＰアドレスをＳＩＰサーバに登録する方法であって、
前記無線通信デバイスに前記無線通信デバイスのプライベートＩＰアドレスを通知することと、
前記無線通信デバイスからのメッセージを受信し、前記プライベートＩＰアドレスをパブリックＩＰアドレスに変換することと、
前記メッセージをインターネットを介して送ることと、
前記パブリックＩＰアドレスを検出することと、
前記パブリックＩＰアドレスにアドレスされたアドレスメッセージをインターネットを介して前記無線通信デバイスに送ることによって、前記無線通信デバイスに前記パブリックＩＰアドレスが通知されることと、
前記無線通信デバイスから登録メッセージをインターネットを介してサーバに送ることであって、前記登録メッセージは、前記無線通信デバイスのパブリックＩＰアドレスを含んでいることとを備える方法。
【請求項６】
請求項５に記載の方法において、前記パブリックＩＰアドレスは、前記アドレスメッセージのメッセージボディとメッセージヘッダとの両方に含まれる方法。
【請求項７】
請求項５に記載の方法において、前記パブリックＩＰアドレスは、前記アドレスメッセージのメッセージヘッダにおいてのみ含まれ、前記アドレスメッセージのメッセージボディは、前記メッセージヘッダへのポインタを含んでいる方法。
【請求項８】
無線通信デバイスであって、
プライベートＩＰアドレスを発信元アドレスとして示すＩＰメッセージに変換可能なメッセージを送る手段と、
前記無線通信デバイスのパブリックＩＰアドレスを示すアドレスメッセージを受信する手段と、
登録メッセージを送り、前記パブリックＩＰアドレスをＩＰベースのシステムに登録する手段とを備えた無線通信デバイス。
【請求項９】
請求項８に記載の無線通信デバイスにおいて、前記無線通信デバイスはＣＤＭＡ無線通信デバイスである無線通信デバイス。
【請求項１０】
請求項９に記載の無線通信デバイスにおいて、前記無線通信デバイスは電話機である無線通信デバイス。
【請求項１１】
ボイス・オーバ・インターネットシステムであって、
少なくとも１つの無線通信デバイスを備え、
前記無線通信デバイスと通信する少なくとも１つのローカルネットワークを備え、
ローカルネットワーク及びインターネットと通信する少なくとも１つのネットワークアクセス変換構成要素を備え、前記ネットワークアクセス変換構成要素は、前記プライベートＩＰアドレスをパブリックＩＰアドレスに関連付け、
前記無線通信デバイスは、インターネットに関連したＳＩＰサーバに、前記ネットワークアクセス変換構成要素によって割り当てられたように、ブラインド登録メッセージのヘッダに含まれた前記無線通信デバイスのパブリックＩＰアドレスを登録するように示すブラインド登録メッセージを生成するボイス・オーバ・インターネットシステム。
【請求項１２】
請求項１１に記載のシステムにおいて更に、インターネットと通信するＳＩＰサーバを備えたシステム。
【請求項１３】
請求項１１に記載のシステムにおいて、前記無線通信デバイスは、ＣＤＭＡ無線通信デバイスであるシステム。
【請求項１４】
請求項１３に記載のシステムにおいて、前記無線通信デバイスは、電話機であるシステム。
【請求項１５】
プライベートＩＰアドレスのみを知る無線通信デバイスのパブリックＩＰアドレスを登録する方法であって、
前記プライベートＩＰアドレスを発信元ＩＰアドレスとして示している前記無線通信デバイスから登録メッセージを送ることであって、前記登録メッセージは、ＩＰベースのサーバにアドレスされていることと、
前記メッセージにおける前記プライベートＩＰアドレスをパブリックＩＰアドレスに変換することと、
前記メッセージを前記ＩＰベースのサーバに送ることと、
前記サーバにおいて、前記メッセージは登録メッセージであることを確認し、発信元ＩＰアドレスとして表れている前記パブリックＩＰアドレスを、前記無線通信デバイスのＩＰアドレスとして登録することとを備えた方法。
【請求項１６】
請求項１５に記載の方法において、前記登録メッセージは、パブリックＩＰアドレスを表すフィールドを持ったボディを含み、前記フィールドは、前記ＩＰベースのサーバによって受信された場合には、空又は無効であり、これによって、前記メッセージがブラインド登録メッセージであることと、前記発信元アドレスが登録されるべきであることを示す方法。
【請求項１７】
請求項１５に記載の方法において、前記登録メッセージは、前記パブリックＩＰアドレスとは異なるデータを備えたフィールドを持つが、前記メッセージのヘッダ内の前記発信元アドレスは、前記無線通信デバイスのアドレスとして登録されるべきであることを示すボディを含んでいる方法。
【請求項１８】
無線通信デバイスであって、
プライベートＩＰアドレスを受信する手段と、
前記登録メッセージ内の前記パブリックＩＰアドレスをリスト化することなくパブリックＩＰアドレスの登録を要求するブラインド登録メッセージを生成する手段と、
前記ブラインド登録メッセージを電波インタフェースを介してＩＰベースのインフラストラクチャへ送信する手段とを備えた無線通信デバイス。
【請求項１９】
請求項１８に記載の無線通信デバイスにおいて、前記ブラインド登録メッセージのボディは、ブランク又は空のパブリックＩＰアドレスフィールドを含む無線通信デバイス。
【請求項２０】
請求項１８に記載の無線通信デバイスにおいて、前記ブラインド登録メッセージのボディは、前記フィールドのヘッダ内に表れているパブリックＩＰアドレスが登録されるべきであることを示すデータを持つフィールドを示すＩＰアドレスを含む無線通信デバイス。